(57)【要約】【課題】投函物が雨水に曝されることを防止し、外観を意識した郵便受け箱を提供する。【解決手段】郵便受け箱本体１の正面上部に形成された投函口４の上方を覆う断面略Ｌ字形状の前面扉２が、郵便受け箱本体１の上端部で軸支され外方に向かって上下方向に回動自在に設けられており、前面扉２の上面２６前側に、凹溝２１が郵便受け箱本体１の正面に対して平行に全長にわたって形成され、この凹溝２１の両端部には、前面扉２の上面２６の雨水を排水するための水抜孔２２が形成されていることとする。【選択図】図１
2008264369.tif 000002
【特許請求の範囲】
【請求項１】
郵便受け箱本体の正面上部に形成された投函口の上方を覆う断面略Ｌ字形状の前面扉が、郵便受け箱本体の上端部で軸支され外方に向かって上下方向に回動自在に設けられており、前面扉の上面前側に、凹溝が郵便受け箱本体の正面に対して平行に全長にわたって形成され、この凹溝の両端部には、前面扉の上面の雨水を排水するための水抜孔が形成されていることを特徴とする郵便受け箱。
【請求項２】
前面扉の開放に伴い前面扉の上面から流れ落ちる雨滴を受ける雨滴受け部が、前面扉の後方の郵便受け箱本体の正面に形成され、雨滴受け部の両端部には雨滴受け部で受けた雨水を排水するための排水孔が形成されていることを特徴とする請求項１に記載の郵便受け箱。
【請求項３】
請求項２に記載の排水孔から排水された雨水を郵便受け箱本体の外部に排水するための水抜ガイドが、郵便受け箱本体の側板内側に上下方向に凸状に形成されていることを特徴とする郵便受け箱。
【発明の詳細な説明】
【技術分野】
【０００１】
本発明は、郵便受け箱に関するものである。
【背景技術】
【０００２】
従来、郵便物等の投函物が投函される投函口の上部に、基端側を支点として先端側が上下方向に回動可能な庇を設けた郵便受け箱が知られている（例えば、特許文献１参照）。この郵便受け箱は、投函物の上部に設けられた庇により、郵便受け箱本体への雨水の浸入を抑えるとともに、郵便受け箱に完全に入りきらずにいた投函物の一部が雨に曝されないようにしていた。さらに、庇が回動可能であることにより、投函者が投函物を投函口に投函する際に庇を上方に回動させて持ち上げた状態で行うことができ、投函物の投函口への投函作業が容易でもあった。
【０００３】
ところで、郵便受け箱は玄関先に設置され人目にさらされるため、郵便受け箱としての投函物を収納するという機能はもちろんであるが、外観上、意匠性に富み、見映えのよい郵便受け箱が望まれてもいる。このような見地から、上記特許文献１の郵便受け箱は投函物が雨水に曝されることを防止するという点で優れた性能を有しているものの、必ずしも外観を意識したものとはいえない。
【特許文献１】特開平７−１０００５０号公報
【発明の開示】
【発明が解決しようとする課題】
【０００４】
本発明は、以上の通りの背景から、投函物が雨水に曝されることを防止し、外観を意識した郵便受け箱を提供することを課題としている。
【課題を解決するための手段】
【０００５】
本発明は、上記の課題を解決するものとして以下のことを特徴とする。
【０００６】
第１には、郵便受け箱本体の正面上部に形成された投函口の上方を覆う断面略Ｌ字形状の前面扉が、郵便受け箱本体の上端部で軸支され外方に向かって上下方向に回動自在に設けられており、前面扉の上面前側に、凹溝が郵便受け箱本体の正面に対して平行に全長にわたって形成され、この凹溝の両端部には、前面扉の上面の雨水を排水するための水抜孔が形成されている。
【０００７】
第２には、上記第１の発明の郵便受け箱において、前面扉の開放に伴い前面扉の上面から流れ落ちる雨滴を受ける雨滴受け部が、前面扉の後方の郵便受け箱本体の正面に形成され、雨滴受け部の両端部には雨滴受け部で受けた雨水を排水するための排水孔が形成されている。
【０００８】
第３には、上記第２の発明の排水孔から排水された雨水を郵便受け箱本体の外部に排水するための水抜ガイドが、郵便受け箱本体の側板内側に上下方向に凸状に形成されている。
【発明の効果】
【０００９】
上記第１の発明によれば、前面扉の上面前側には、凹溝が郵便受け箱本体の正面に対して平行に全長にわたって形成され、この凹溝の両端部には、前面扉の上面の雨水を排水するための水抜孔が形成されていることにより、前面扉の上面に溜まった雨水が効果的に水抜孔より排水される。また、この前面扉は郵便受け箱本体の正面上部に形成された投函口の上方を覆うように断面略Ｌ字形状を有していることにより、郵便受け箱を正面から見た場合、すっきりしたデザインの外観が実現される。
【００１０】
上記第２の発明によれば、前面扉の後方の郵便受け箱本体の正面に雨滴受け部が形成され、雨滴受け部の両端部には雨滴受け部で受けた雨水を排水するための排水孔が形成されていることにより、前面扉の開放に伴う郵便受け箱本体内部への雨水の浸入を防止することができる。
【００１１】
上記第３の発明によれば、水抜ガイドが郵便受け箱本体の側板内側に上下方向に凸状に形成されていることにより、郵便受け箱本体に形成された雨滴受け部の排水孔から排水された雨水が、投函物が収納されている郵便受け箱本体内部の収納室に浸入することなく、側板をつたわって郵便受け箱本体の外部に排水される。
【発明を実施するための最良の形態】
【００１２】
本発明は上記のとおりの特徴をもつものであるが、以下に図面に基づいてその実施の形態について説明する。
【００１３】
図１は本発明の郵便受け箱の一実施形態の全体斜視図であり、（ａ）は前面扉が閉じている状態を示し、（ｂ）は前面扉が開いている状態を示している。図２は郵便受け箱の断面図であり、図３は郵便受け箱本体の要部断面図である。図４は郵便受け箱の前面扉の要部斜視図であり、図５は郵便受け箱本体の正面側上部の要部斜視図であり、前面扉を設けていない状態を示している。
【００１４】
本発明の郵便受け箱は、正面に投函口４とその下方に取出口３を備えた郵便受け箱本体１を有している。投函口４は郵便受け箱本体１の正面の上部に長方形状で幅広に形成され、外部から郵便はがき、封筒、冊子などの投函物が投函され、郵便受け箱本体１内部の収納室１５に収納される。投函口４下方の郵便受け箱本体１正面には一面にわたって開口した取出口３が形成され、この取出口３を塞ぐように開閉可能な取出し用扉５が設けられている。投函口４から投函された投函物は取出し用扉５を開けて郵便受け箱本体１の取出口３から取出すことができる。取出し用扉５は、下端部で軸支され外方に向かって回動自在とされ、取出し用扉５の回動によって取出口３が開閉される。具体的には、取出し用扉５は、ヒンジ８を介して郵便受け箱本体１に接続され回動自在に開閉される。郵便受け箱本体１の底板１３の前部には、断面略Ｌ字状の立ち上がり部１３１が郵便受け箱本体１幅方向の全長にわたって形成され、この立ち上がり部１３１の郵便受け箱本体１幅方向の略中央の位置にヒンジ８の一端が取り付け固定される。ヒンジ８の他端は、その位置に対応するように、取出し用扉５の幅方向の略中央、裏面下端部５１の上方の位置に取り付け固定される。
【００１５】
本発明は、投函口４の上方を覆うように断面略Ｌ字形状の前面扉２が、郵便受け箱本体１の上端部で軸支されて外方に向かって上下方向に回動自在に設けられている。具体的には、前面扉２の上面２６の後端に長手方向にわたって鉤状の軸受け部２３が垂下され、郵便受け箱本体１の前側上端部に設けられた前記前面扉２を回動せしめる軸棒２４をこの軸受け部２３で支持するようにしている。
【００１６】
上記前面扉２は、通常は閉じている状態であり、雨天時、雨水が投函口４に浸入することを防止する。投函物を投函口４に投函する際、投函物に厚みがあって前面扉２を閉じた状態では投函できないようなときには、前面扉２を上方向に回動させて開放し、投函する。また、郵便受け箱本体１に収納された投函物を取出す際、取出し用扉５とともに前面扉２を開放することで、投函物の取出し作業が容易となる。
【００１７】
本発明における前面扉２の上面２６前側には、凹溝２１が郵便受け箱本体１の正面に対して平行に全長にわたって形成され、この凹溝２１の両端部には水抜孔２２が形成されている。前面扉２の凹溝２１は、郵便受け箱の外観をより意匠性に富んだものとすることができる。また、前面扉２の開放に伴って前面扉２の上面２６に付着した雨滴は郵便受け箱本体１に向かって（図３中に示した矢印の方向）流れ落ちるが、この際、凹溝２１で雨水が留められることで、前面扉２の上面２６が全て平滑な場合、すなわち凹溝２１が形成されていない場合に比べて雨水の郵便受け箱本体１への流れ落ちる量を少なくすることができる。さらに、前面扉２が閉じている状態のときは、凹溝２１上の雨水は水抜孔２２から排水されるため、凹溝２１を含む前面扉２の上面２６に付着する雨滴の量は、上面２６が全て平滑な場合に比べて少なくなる。結果として、前面扉２の開放時の郵便受け箱本体１へ流れ落ちる量も少なくなる。
【００１８】
前面扉２の両端部に、例えば、図４に示すように、見映えをよくするために各々ＡＥＳ樹脂製のエンドキャップ２５を嵌め込んで前面扉２の側面を形成するようにしてもよい。エンドキャップ２５を嵌め込んだ場合、凹溝２１の両端がエンドキャップ２５で若干盛り上がり、凹溝２１上の雨滴がその両端から排水されるのが妨げられる。このような場合でも、水抜孔２２から凹溝２１上の雨滴が確実に排水されるため、凹溝２１上に雨水が溜まることはない。
【００１９】
以上の前面扉２は、アルミ押出形材からなり、前面が平板状に形成され、すっきりしたデザインの外観を実現している。さらに本発明では、より意匠性に富んだものとするために、取出し用扉５の前方に、取出し用扉５の前面を覆うように間隔を隔てて矩形の平板状の前面パネル６を接続固定するようにしてもよい。前面パネル６と取出し用扉５との間には円柱状の連結具７が取出し用扉５前面の左右上下の位置の計４箇所に設けられ、この連結具８の両端部をそれぞれ前面パネル６および取出し用扉５に設けた連結具用孔に挿し込み、ナット等の止具７１で固定することで前面パネル６を取出し用扉５に接続固定する。もちろん、これに限定されることなく、例えば、連結具７の両端部に螺合部を形成し、ねじ、ボルト等の止具７１をそれぞれ前面パネル６の前面側および取出し用扉５の裏面側からねじ込み固定することで、前面パネル６を取出し用扉５に接続固定してもよい。前面パネル６は、アルミ板、木板、ＰＭＭＡ等の樹脂板等から形成され、郵便受け箱の意匠性を向上させ見映えをよくするとともに、外部からの視認性も向上させている。また、前面パネル６自体に意匠を施すことで、さらに外観上、意匠性に富んだ郵便受け箱とすることができる。前面扉２と前面パネル６の前面が面一となるように、前面扉２と前面パネル６とを形成することで、より調和のとれた外観の郵便受け箱を実現することができる。
【００２０】
上述したように、前面扉２の開放に伴い、前面扉２の上面２６が傾きそこに付着していた雨滴が郵便受け箱本体１内部の方に向かって流れ落ちる。そこで、本発明は、前面扉２の後方の郵便受け箱本体１の正面に、雨滴を受ける雨滴受け部１４を形成してもよい。この雨滴受け部１４が流れ落ちる雨滴を受けることで、郵便受け箱本体１内部に雨滴が浸入することを防止する。
【００２１】
雨滴受け部１４は、郵便受け箱本体１の天板１１前端から垂下された垂下片１１１の下端から前方に延設されて形成されてなり、雨滴受け部１４の前端縁が郵便受け箱本体１の側板１２の前端縁と面一になっている。このとき投函口４は、雨滴受け部１４の下方に位置し、投函口４前面が雨滴受け部１４の前端縁と面一となるようにするか、それよりも後方になるように配設される。これにより、前面扉２の上面２６から流れ落ちた雨滴を投函口４の上方で雨滴受け部１４で受けることになり、投函口４が濡れることはない。
【００２２】
雨滴受け部１４の両端部には排水孔１４１が形成されている。雨滴受け部１４で受けた雨滴は正面から流れ落ちるか、あるいは雨滴受け部１４の両端部の排水孔１４１から排水される。雨滴受け部１４の正面から雨滴が流れ落ちると、投函物を取出す時に投函物が濡れてしまう場合があるので、雨滴受け部１４の左右方向の中央部を頂部として両端部に向かって下り勾配を付け、雨滴受け部１４の両端部の排水孔１４１に雨滴を流し込んで排水するようにすることが好ましい。雨滴受け部１４の両端部の排水孔１４１は、雨滴受け部１４に直接に孔を開けてもよいし、端部を切欠いてもよい。また、図５に示すように、郵便受け箱本体１の側板１２と雨滴受け部１４に隙間１４２を設け、これを排水孔１４１としてもよい。排水孔１４１から排水された雨滴は、郵便受け箱本体１の側板１２をつたわっていき、底板１３に設けられた孔部から外部に排水される。このとき、郵便受け箱本体１の側板１２内側に上下方向に凸状に形成された水抜ガイド１２１を設けてもよい。この水抜ガイド１２１で側板１２に排水流路１２２を形成し底板１３の孔部に臨むようにすることで、投函物が収納されている郵便受け箱本体１内部の収納室１５に雨水が浸入することを防ぐことができる。
【図面の簡単な説明】
【００２３】
【図１】本発明の郵便受け箱の一実施形態の全体斜視図である。
【図２】本発明の郵便受け箱の断面図である。
【図３】本発明の郵便受け箱本体の要部断面図である。
【図４】本発明の郵便受け箱の前面扉の要部斜視図である。
【図５】本発明の郵便受け箱本体の正面側上部の要部斜視図であり、前面扉を設けていない状態を示している。
【符号の説明】
【００２４】
１  郵便受け箱本体
１１  天板
１１１  垂下片
１２  側板
１２１  水抜ガイド
１２２  排水流路
１４  雨滴受け部
１４１  排水孔
１５  収納室
２  前面扉
２１  凹溝
２２  水抜孔
２３  軸受け部
２４  軸棒
２５  エンドキャップ
２６  上面
４  投函口
【図１】
2008264369.tif 000003
【図２】
2008264369.tif 000004
【図３】
2008264369.tif 000005
【図４】
2008264369.tif 000006
【図５】
2008264369.tif 000007